(57)【要約】【課題】    受話器を用い、インターネット通信における着信の受信または拒絶を行なうことができ、インターネット通信を使用者にとってより利用しやすくする、インターネット自動通信装置の提供。         【解決手段】    受話器を備え、キーボード、マウス、USBまたはマイク音源等入出力のアプリケーションの中端のＩ/Ｏポートに該受話器を接続し、受信者が着信を受信するとき、該受話器を持ち上げると、該受話器が自動的にスイッチ信号を作動し、中央コントロールセンターにより動作が実行され、インターネット上で通信を行なうことができる。【選択図】    図１ 
0003103475.tif 000002
【実用新案登録請求の範囲】
【請求項１】
受話器を備え、該受話器をコンピューターのＩ/Ｏポートに接続し、インターネット上における通信システムまたはソフトウェアを介し通話が行なうとき、前記受話器を利用する、インターネット自動通信装置。
【請求項２】
前記受話器が、さらにメッセージプロンプト装置を備え、着信時に自動的に音楽プロンプト音を発すると共に、該プロンプト音は使用者の好みに応じ、その音楽の鳴る長さとボリュームの設定及び好みの音楽の録音・編集を行なうことが可能である、請求項１に記載のインターネット自動通信装置。
【請求項３】
前記受話器をキーボードと一体として設け、キーボードのリソースを介し必要な電力を得る、請求項１に記載のインターネット自動通信装置。
【請求項４】
前記キーボードと受話器にそれぞれ発信端と受信端を設け、無線伝送を構成する、請求項１に記載のインターネット自動通信装置。
【請求項５】
前記受話器に、通話の受信または拒絶を切換るための切換スイッチを設けた、請求項１に記載のインターネット自動通話装置。
【考案の詳細な説明】
【技術分野】
【０００１】
本考案はインターネット自動通信装置に関し、特に、受話器を用い直接インターネット上で通信を行なうことができ、インターネット上における通信をより使用者にとって利用しやすくした、インターネット自動通信装置に関する。
【背景技術】
【０００２】
現在、一般的なインターネット上における通信方法は、人が通話を行うとき、受信者のディスプレイモニタ上にプロンプトメッセージが表示され、受信者が受話を希望するとき、まずマウスでそのメッセージをクリックし、受信の決定を行ない、さらに関連通信装置（マイクやスピーカ等）を用い、相手方と双方向の通信を構成する。しかし、この方法は操作が面倒であるだけでなく、受信者が忙しくモニタのプロンプトメッセージに気付かない場合、重要なメッセージを見逃してしまうことがあり、理想的とは言えない。
【考案の開示】
【考案が解決しようとする課題】
【０００３】
本考案の目的は、受話器を用い、インターネット通信における着信の受信または拒絶を行なうことができ、インターネット通信を使用者にとってより利用しやすくする、インターネット自動通信装置を提供することにある。
【課題を解決するための手段】
【０００４】
本考案のインターネット自動通信装置は、受話器を備え、キーボード、マウス、USBまたはマイク音源等入出力のアプリケーションの中端のＩ/Ｏポートに該受話器を接続し、受信者が着信を受信するとき、該受話器を持ち上げるだけで、該受話器が自動的にスイッチ信号を作動し、中央コントロールセンターにより動作が実行され、インターネット上で通信を行なうことができる。
【０００５】
前記インターネット自動通信装置は、インターネット通信システムまたはソフトウェアを介し通話が行なわれるとき、コンピューターのディスプレイモニタに小ウィンドウを表示し、受信者に着信を提示する。
【０００６】
前記受話器はさらにメッセージプロンプト装置を備え、送信者が受信者を呼び出すとき、自動的に音楽のプロンプト音を発し、且つ、該音楽のプロンプト音は、使用者の好みに応じ、音楽の長さとボリュームを設定でき、また、好みの音楽を録音・編集することができる。
【０００７】
前記受話器は、キーボードと一体として設けてもよく、キーボードのリソースを介し電源を得ることができる。
【０００８】
前記受話器は、キーボードと無線伝送を構成することもでき、発信端及び受信端を該受話器とキーボードにそれぞれ設置し、双方向の伝送を形成する。
【０００９】
前記受話器は切換スイッチを備え、通話の受話または拒絶を切り換えることができる。
【考案の効果】
【００１０】
本考案によれば、受話器をコンピューターの周辺設備に接続することで、インターネット上でのリアルタイムの通信に非常に便利であると共に、使用者が利用しやすい設計であり、且つ、重要なメッセージを使用者がうっかり見過ごしてしまうことを防ぐことができ、非常に実用的で新規性がある。      
【実施例１】
【００１１】
図１に本考案の構成を示す模式図を示す。本考案は主に受話器1を備え、該受話器1をコンピューター2のキーボード21、マウス22、音源端23、USB24、マイク25等入出力の中端のＩ/Ｏポートに接続し、該受話器1はメッセージプロンプト装置11、切換スイッチ12、スピーカ13及びマイク14を備え、さらに該受話器1を増幅器3に接続し、該受話器1が自動的に切換スイッチ信号を作動し、中央コントロールセンターにより動作が実行され、インターネット通信を構成する。
【００１２】
前述の構成によるインターネット自動通信装置は、インターネット上における通信システムまたはソフトウェアにより通話を行なうとき、以下の手順で通信を行なう。
１．      受信者のコンピューターモニタ26上に小ウィンドウ261が表示され、提示受信者に受信または拒絶の提示をする（図2）。
２．      受信者が通話を希望する場合、受話器1を持ち上げると、小ウィンドウの受信オプションが自動的に実行され、インターネット通信を構成する。さもなければ通話を拒絶する。
３．      前述の1はその動作時において、メッセージプロンプト装置11が同時に自動的に本システムの音楽プロンプト音を作動すると共に、動作中の音源を切る。該プロンプト音は、使用者の好みに応じ、音楽の長さを設定でき、また、好みの音楽を録音・編集することもできる。
【実施例２】
【００１３】
図３に本考案の受話器とキーボードを一体として設けた場合の構成を示す模式図を示す。本考案の受話器1は、キーボード21と一体として設けてもよく、キーボードが備えているＩ/Ｏリソースから必要な電力を得ることができ、使用上の利便性が高い。更に、受話器1とキーボード21は無線伝送方式（図４）を採用してもよく、キーボード21に発信端を設けると共に、受話器1に受信端を設けることにより、使用者が移動しながら通話を行なうことができ、より便利である。また、受話器1に設けた切換スイッチ12により、通話の受信または拒絶の切換を行なうことができ、該受話器1をディスプレイモニタ26の一側面に掛けておくか、キーボードの位置に立たせるか、または別個独立して掛けておいてもよい。
【図面の簡単な説明】
【００１４】
【図１】本考案の実施例１の構成を示す模式図である。
【図２】着信時に小ウィンドウが表示された状態を示す模式図である。
【図３】本考案の実施例２の構成を示す模式図である。
【図４】無線伝送方式を採用した構成を示す模式図である。
【符号の説明】
【００１５】
１      受話器
１１    メッセージプロンプト装置
１２    切換スイッチ
１３    スピーカ
１４    マイク
２      コンピューター
２１    キーボード
２２    マウス
２３    音源端
２４    USB
２５    マイク
２６    ディスプレイモニタ    
２６１  小ウィンドウ
３      増幅器
【図１】
0003103475.tif 000003
【図２】
0003103475.tif 000004
【図３】
0003103475.tif 000005
【図４】
0003103475.tif 000006